(57)【要約】 【課題】  袋(20)の開口部(21)をしっかりと封口でき、使用の度に袋(20)から取り外す必要が無く、しかも袋の上部を巻いた状態で保持できる封口クリップ(1)を提供する。 【解決手段】  バネ作用により袋体の一部を挟むことが可能な第１挟持部(2a)，(2b)と、第１挟持部(2a)，(2b)の先端部に取り付けられた第２挟持部(3a)，(3b)により袋を挟持する。解れ止め(5)により巻き付いた袋上部を抑える。使用時には第２挟持部(3a)，(3b)のみ開いて袋(20)の内容物を取り出す。  【選択図】  図１
2010274988.tif 000002
【特許請求の範囲】
【請求項１】
バネ作用により袋体の一部を挟むことが可能な第１挟持部と、
該第１挟持部の先端部に設けられ該第１挟持部に対して回動可能に取り付けられた第２挟持部と、
該第１挟持部の基部に取り付けられた解れ止めと、
該第２挟持部を閉状態に維持するためのロック部材を有し、
第１挟持部と第２挟持部はいずれも同一平面上で開閉可能であり、
該第１挟持部の基部には該第１挟持部を開状態にする際に押圧するツマミが形成されており、
該解れ止めは該第１挟持部と該第２挟持部の周囲に巻き付いた袋を解れないように抑えることができる
ことを特徴とする封口クリップ。
【請求項２】
閉じた際の第１挟持部と第２挟持部の断面形が全体として略円形であることを特徴とする請求項１記載の封口クリップ。
【請求項３】
解れ止めをツマミ側に倒して押圧することにより、てこの原理でツマミを押圧することができる
ことを特徴とする請求項１又は請求項２記載の封口クリップ。
【請求項４】
前記第１挟持部と前記第２挟持部は、使用時に袋を挟む部分に弾性部材を備えていることを特徴とする請求項１，請求項２又は請求項３記載の封口クリップ。
【発明の詳細な説明】
【技術分野】
【０００１】
本発明は、袋体の開口部を封口するための封口クリップに関するものである。
【背景技術】
【０００２】
図１３は小麦粉，パン粉等が入った袋(20)を示した図である。使用する際には袋(20)の角部をハサミなどで切断して開口部(21)を設け、その開口部(21)を下に向けることにより袋(20)内部の粉状，粒状，顆粒状等の内容物を外部に出して使う。
【０００３】
一度に全ての内容物を使い切る場合は問題ないが、一部だけ使う場合は袋(20)内に内容物が残った状態となる。そこで、内容物がこぼれ出ることや、虫や埃などが袋内に入ること，更には内容物が湿ることなどを防止するために、開口部(21)が外部に露出しないように封口しておく。
【０００４】
封口の手段としては図１４のように袋(20)の上部を下方に向けて巻き、巻いた部分を洗濯バサミ(30)で止めておくことが多い。又、図１５に示すように袋(20)の上部を巻いた後に、ゴムバンド(31)で止めることもある。しかしながら、洗濯バサミ(30)やゴムバンド(31)は、見映えが悪いだけでなく、袋(20)の巻いた部分を押圧しているに過ぎないので、開口部(21)をしっかり封口することが難しい。更には、一時的に外した洗濯バサミ(30)やゴムバンド(31)の置き場所を忘れることや失うこともある。
【０００５】
近年では、広い範囲で挟んで封口する封口クリップも用いられるようになった。図１６はそのような封口クリップ(32)を装着した袋(20)を示した図である。この封口クリップ(32)は袋の上部を大きく挟み込むことができるようになっている。図中において、(32a)は軸部であり、この軸部(32a)の両側にそれぞれ板状の挟持部が形成されている。袋(20)装着する際には、軸部(32a)を回転軸として挟持部を開状態とし、２枚の挟持部で袋の上部を挟んで閉状態にしてストッパー(32b)で固定する。袋の内容物を使用する際にはストッパー(32b)を解除して挟持部を開き、封口クリップ(32)を袋から外す。
【０００６】
図１６のように袋の幅より大きな封口クリップ(32)を装着する使い方の他に、図１７に示したような袋の幅より小さな封口クリップ(33)を使って、袋(20)の開口部(21)付近を封口するという使い方もできる。
【０００７】
このような封口クリップ(32)，(33)を使った場合でも、使用の度に袋(20)から取り外さなくてはならず面倒である点は変わらない。更に、食品保存のための食品庫の引き出し(40)に収納した際に、袋(20)の上部や封口クリップ(32)，(33)が引き出し(40)の内側に引っ掛かり、引き出し(40)を開いて袋(20)を取り出すことが困難となる。引き出し(40)に干渉しないように袋(20)の上部を巻いておいても、自然と巻いた部分が解けて干渉してしまう。
【先行技術文献】
【特許文献】
【０００８】
【特許文献１】特開２００７−５０９２３号公報
【発明の概要】
【発明が解決しようとする課題】
【０００９】
本発明は、袋の開口部をしっかりと封口でき、使用の度に袋から取り外す必要が無く、しかも袋の上部を巻いた状態で保持できる封口クリップを提供することを課題とする。
【課題を解決するための手段】
【００１０】
請求項１記載の封口クリップ(1)は、バネ作用により袋体の一部を挟むことが可能な第１挟持部(2a)，(2b)と、該第１挟持部(2a)，(2b)の先端部に設けられ該第１挟持部(2a)，(2b)に対して回動可能に取り付けられた第２挟持部(3a)，(3b)と、該第１挟持部(2a)，(2b)の基部に取り付けられた解れ止め(5)と、該第２挟持部(3a)，(3b)を閉状態に維持するためのロック部材(6)を有し、第１挟持部(2a)，(2b)と第２挟持部(3a)，(3b)はいずれも同一平面上で開閉可能であり、該第１挟持部(2a)，(2b)の基部には該第１挟持部(2a)，(2b)を開状態にする際に押圧するツマミ(4)が形成されており、該解れ止め(5)は該第１挟持部(2a)，(2b)と該第２挟持部(3a)，(3b)の周囲に巻き付いた袋(23)を解れないように抑えることができることを特徴とする。
【００１１】
これによれば、ツマミ(4)を押圧することにより第１挟持部(2a)，(2b)と第２挟持部(3a)，(3b)を開状態して、封口クリップ(1)を袋(20)の上部(23)に装着することができる。袋(20)の開口部(21)は第２挟持部(3a)，(3b)により封口される。封口クリップ(1)の周りに袋(20)の上部を巻き付けて解れ止め(5)により止めれば、袋(20)の上部が巻き付いたコンバクトな状態を維持することができる。
【００１２】
袋(20)から内容物を出す際には、解れ止め(5)を外して袋(20)上部を解き、ロック部材(6)によるロックを解除して第２挟持部(3a)，(3b)を開状態にする。それにより袋(20)の開口部(21)を露出するので、開口部(21)を通して内容物を袋(20)の外に出す。その際にも第１挟持部(2a)，(2b)は袋(20)の上部を挟持した状態で維持されるので、封口クリップ(1)は袋(20)から外れない。
【００１３】
請求項２記載の封口クリップは請求項１封口クリップにおいて、閉じた際の第１挟持部(2a)，(2b)と第２挟持部(3a)，(3b)の断面形が全体として略円形であることを特徴とする。
【００１４】
これによれば、封口クリップ(1)を回転させた際に、第１挟持部(2a)，(2b)と第２挟持部(3a)，(3b)の周りに、袋(20)の上部をスムーズに巻き付けることができる。
【００１５】
請求項３記載の封口クリップは請求項１又は請求項２の封口クリップにおいて、解れ止め(5)をツマミ(4)側に倒して押圧することにより、てこの原理でツマミ(4)を押圧することができることを特徴とする。
【００１６】
これによれば、解れ止め(5)を軽い力で押圧するだけで、てこの原理によりツマミ(4)が強い力で押圧される。そのため、封口クリップの開閉に要する力を少なくすることができる。つまり、解れ止め(5)を本来の目的である巻き付けた袋(20)上部の解れ止めとしてだけでなく、封口クリップの開閉にも利用している。
【００１７】
請求項４記載の封口クリップは請求項１〜請求項３の封口クリップにおいて、前記第１挟持部(2a)，(2b)と前記第２挟持部(3a)，(3b)は、使用時に袋(20)を挟む部分に弾性部材(10)を備えていることを特徴とする。
【００１８】
これによれば、封口クリップ(1)を袋(20)装着した際に、袋(20)は弾性部材(10)を介して挟持されることとなる。そのため、袋(20)の挟んだ部分に段や皺などがあっても、弾性部材(10)が変形して密着し、より確実に封口することができる。
【発明の効果】
【００１９】
本発明の封口クリップは、袋(20)の開口部(21)をしっかりと封口でき、使用の度に袋(20)から取り外す必要が無く、しかも袋の上部を巻いた状態で保持することができる。そのため、引き出しなどに収納しても、袋の上部が引き出しの上部と干渉することが無く、スムーズに引き出しを開閉することができる。
【図面の簡単な説明】
【００２０】
【図１】実施例１を正面からみた図。
【図２】実施例１を上からみた図。
【図３】第１挟持部を開いた状態を示した図。
【図４】第２挟持部を開いた状態を示した図。
【図５】袋上部に実施例１を装着した状態を示した図。
【図６】袋上部を巻いた状態を示した図。
【図７】袋上部を巻いて止めた状態を示した図。
【図８】袋上部を巻いて止めた状態を示した図。
【図９】第２挟持部のロック機構を説明する図。
【図１０】第２挟持部を開いて使用する状態を示した図。
【図１１】第２挟持部を開いて使用する状態を示した図。
【図１２】実施例２を示した図。
【図１３】開封された袋を示した図。
【図１４】封口に洗濯バサミを使った状態を説明する図。
【図１５】封口にゴムバンドを使った状態を説明する図。
【図１６】従来の封口クリップの使用状態を説明する図。
【図１７】従来の封口クリップの使用状態を説明する図。
【発明を実施するための形態】
【００２１】
以下、本発明を好適な実施例を用いて説明する。
【実施例１】
【００２２】
図１は本実施例の封口クリップ(1)を正面から見た図であり、図２は同じ封口クリップ(1)を上から見た図である。封口クリップ(1)は第１挟持部(2a)，(2b)の先端部に第２挟持部(3a)，(3b)を備えている点と、第１挟持部(2a)，(2b)の基部付近に「解れ止め」(5)を備えていることが大きな特徴である。
【００２３】
第１挟持部(2a)と第１挟持部(2b)は基部にある軸部(7)において係合されており、軸部(7)を回転軸として回動可能となっている。基部にあるツマミ(4)にはバネが仕込まれており、常に第１挟持部(2a)と第１挟持部(2b)とが密接する方向に力が働いている。解れ止め(5)は金属線より成り、第１挟持部(2a)，(2b)に対して回動可能となっている。
【００２４】
封口クリップ(1)を開く際には、第１挟持部(2a)，(2b)の基部にあるツマミ(4)をつまむように両側から押圧する。その際にツマミ(4)に接している解れ止め(5)をつまめば解れ止め(5)の一部がツマミ(4)を押圧することになるので、てこの原理により少ない力でツマミ(4)を押圧することができる。
【００２５】
ツマミ(4)が押圧されると、図３に示すように第１挟持部(2a)と第１挟持部(2a)とが離れて行く。そして、それらの先端部に設けられている第２挟持部(3a)と第２挟持部(3b)も互いに離れて行き、封口クリップ(1)が開いた状態となる。
【００２６】
第２挟持部(3a)は第１挟持部(2a)の先端付記の軸部(8)に取り付けられており、同様に第２挟持部(3b)は第１挟持部(2b)の先端付記の軸部(8)に取り付けられている。いずれも、図４に示すように、軸部(8)を軸として回動可能となっており、第１挟持部(2a)，(2b)の開閉とは別に第２挟持部(3a)，(3b)のみを開閉させることができる。第２挟持部(3a)，(3b)の開閉は第１挟持部(2a)，(2b)の開閉と同一平面上で行われる。(6)は第２挟持部(3a)，(3b)が閉じた状態を維持するためのロック部材である。
【００２７】
封口クリップ(1)を袋(20)に装着して用いる際には、ロック部材(6)が外れている状態でツマミ(4)を押圧して図３のような第１挟持部(2a)，(2b)と第２挟持部(3a)，(3b)が共に開いた状態にする。そして、袋(20)の上部(22)を間に差し入れる。
【００２８】
その状態からツマミ(4)を押圧している力を弱めると封口クリップ(1)が閉じていき、第１挟持部(2a)と第１挟持部(2a)との間、及び第２挟持部(3a)と第２挟持部(3b)との間で袋の上部(22)が挟持される。その状態を示したのが図５である。
【００２９】
次に封口クリップ(1)を回し、図６に示すように袋(20)の上部を封口クリップ(1)に巻き付ける。そして、巻き付いた状態で２つの解れ止め(5)を袋(20)側に倒して、封口クリップ(1)の周囲に巻き付いた袋上部(23)が解けないように止める。図７はこの状態を正面から見た図、図８は上方から見た図である。解れ止め(5)の先端部(5a)は、封口クリップ(1)に巻き付いた袋上部(23)を両側から保持しやすいように曲げられている。
【００３０】
ロック部材(6)は第２挟持部(3a)，(3b)が閉じた状態を維持するために用いられるが、本実施例では金属線より製作した。ロック部材(6)は図９に示すように第２挟持部(3b)に回動可能に取り付けられており、ロック時には第２挟持部(3a)，(3b)が閉じた状態で第２挟持部(3a)側に回転させる。これにより第２挟持部(3a)を抱え込むように保持し、第２挟持部(3a)と第２挟持部(3b)とが離れることを防止できる。尚、ロック部材(6)によるロックは封口クリップ(1)の周りに袋(20)の上部を巻き付ける前に行っても良いし、巻き付けた後に行っても良い。
【００３１】
又、図９からもわかるように第２挟持部(3a)及び第２挟持部(3b)の断面形は略半円形となっている。また、同様に第１挟持部(2a)及び第１挟持部(2b)も断面形は略半円形となっている。これは、第１挟持部(2a)，(2b)と第２挟持部(3a)，(3b)の断面形を全体して略円形にするためである。これにより袋(20)の上部(22)を挟んで巻く際に、スムーズに巻き付けていくことができる。
【００３２】
袋(20)の上部を巻き込んで、巻かれた部分(23)を解れ止め(5)で止めているため、勝手に巻いた部分が解れるようなことはない。その為、この状態で引き出し(40)などに収納すれば、引き出し(40)内部と干渉すことはない。これによりストレスなく引き出し(40)の開閉を行うことができる。
【００３３】
袋(20)に入っている内容物を使いたい場合は、解れ止め(5)をツマミ(4)側に回し、巻いていた袋(20)の上部を解いていく。そして、袋(20)の上部が解けた状態でロック部材(6)によるロックを解除し、図１０に示すように第２挟持部(3a)，(3b)を開状態とする。この状態では第１挟持部(2a)，(2b)は袋(20)を挟んでいるので、封口クリップ(1)自体は袋(20)から外れない。
【００３４】
図１１はこの状態の袋(20)の開口を説明する図である。袋の上部は第１挟持部(2a)，(2b)で挟まれているが、第２挟持部(3a)，(3b)が開いているので、袋(20)の開口部(21)を開いて袋(20)内部に収納されている内容物を出すことができる。
【００３５】
封口クリップ(1)は、袋(20)の内容物を使い切るまで袋(20)に付けておき、使用の際には第２挟持部(3a)，(3b)だけを開ければ良い。内容物を使い切る等して袋(20)から封口クリップ(1)を外す際は、ロック部材(6)のロックを解除してから、ツマミ(4)を押圧して第１挟持部(2a)，(2b)を開いて外せばよい。封口クリップ(1)は繰り返して使用できるので、別の袋に取り付けて用いることができる。
【実施例２】
【００３６】
本実施例は実施例１と略同じであるが、第１挟持部と、第２挟持部の内側に弾性材(10)が設けられている点が異なる。弾性材(10)としてはスポンジ，ゴム，シリコン樹脂，適度な弾性を有した合成樹脂などが利用できる。
【００３７】
これによれば封口クリップ(1)で袋を挟んだ際に、弾性材(10)が袋を挟むように位置し、弾性材(10)がその場所の形状にあわせて変形するため、袋(20)に段や皺などが有る場合でも密接して挟持することができる。
【産業上の利用可能性】
【００３８】
実施例では小麦粉の袋(10)の封口を例にして説明したが、ふりかけ，調味料，コーンフレーク，コーヒー，茶葉，かつおぶし，サプリメント，パスタ，菓子等の食料品の袋はもちろんのこと、飼料，セメント，園芸用土，肥料，砂利など広い範囲で袋の封口に利用することができる。サイズや材質は用途に応じて適当に決めればよい。
【符号の説明】
【００３９】
１    封口クリップ
２ａ    第１挟持部
２ｂ    第１挟持部
３ａ    第２挟持部
３ｂ    第２挟持部
４    ツマミ
５    解れ止め
６    ロック部材
７    第１挟持部の軸部
８    第２挟持部の軸部
１０    弾性材
２０    袋
２１  袋の開口部
２２  袋の上部
２３  巻き付けられた袋の上部
４０  引き出し
【図１】
2010274988.tif 000003
【図２】
2010274988.tif 000004
【図３】
2010274988.tif 000005
【図４】
2010274988.tif 000006
【図５】
2010274988.tif 000007
【図６】
2010274988.tif 000008
【図７】
2010274988.tif 000009
【図８】
2010274988.tif 000010
【図９】
2010274988.tif 000011
【図１０】
2010274988.tif 000012
【図１１】
2010274988.tif 000013
【図１２】
2010274988.tif 000014
【図１３】
2010274988.tif 000015
【図１４】
2010274988.tif 000016
【図１５】
2010274988.tif 000017
【図１６】
2010274988.tif 000018
【図１７】
2010274988.tif 000019